Podtech/llm-jp-corpus-v4-ja_patent huggingface dataset:
(57)【要約】      （修正有）【課題】高い回転速度で操作されても摩耗しにくく、破損の危険の少ない処理歯をもった回転工具を提供する。【解決手段】ゴム又はゴム状プラスチック製リングディスク１であって、弾性処理歯４をもった外側リム２と内側リム３とからなり、所定の幅及び高さの安定化ウェブ６が外側リム２の円周方向に沿って処理歯４の間に配置されている。【選択図】  図２
2006110717.tif 000002
【特許請求の範囲】
【請求項１】
外側リム及び内側リムを有する表面処理用のゴム又はゴム状のプラスチック製のリング形ディスクの形態の回転工具にあって、この場合、外側リムは、フレキシブルな弾性処理歯を有する歯の付いたリムを形成し、内側リムは、回転方向に駆動可能なディスクホルダに連結されるように整合されている回転工具において、特定の幅（Ｂ）及び高さ（Ｈ）の安定化ウェブ（６）が、外側リム（２）の円周方向に沿った処理歯（４）間の歯のギャップ内に配置され、処理歯（４）との複合配置を形成することを特徴とする回転工具。
【請求項２】
安定化ウェブ（６）は、処理歯（４）と同じ材料から成り、処理歯（４）の側面に形成されていることを特徴とする請求項１に記載の回転工具。
【請求項３】
安定化ウェブ（６）は、外側リブ（２）の円周方向に沿って同じ高さであって処理歯（４）間の中心に配置されていることを特徴とする請求項１に記載の回転工具。
【請求項４】
安定化ウェブ（６）は、処理歯（４）の歯の高さの約２／３に相当する高さを有することを特徴とする請求項１に記載の回転工具。
【請求項５】
安定化ウェブ（６）の幅（Ｂ）は、処理歯（４）の幅の約１／５〜２／５に相当することを特徴とする請求項１〜４のいずれか１項に記載の回転工具。
【請求項６】
歯の付いたリムの円周方向に沿った処理歯（４）の頭の厚さが、約７〜９mm、好ましくは８mmであることを特徴とする請求項１〜４のいずれか１項に記載の回転工具。
【発明の詳細な説明】
【技術分野】
【０００１】
本発明は、表面処理用のゴム又はゴム状のプラスチック製のリング形ディスクの形態の回転工具に関する。この場合、外側リムが、フレキシブルな弾性処理歯を有する歯の付いたリムを形成する。内側のリムが、回転駆動可能なディスクホルダに整合されている。
【背景技術】
【０００２】
この種類の回転工具は公知である。この回転工具では、処理歯が、比較的長くそれ故に相当なレバーアームを形成する。この回転工具は、その価値があることを実証していることが事実であるものの、極端に高い回転速度での未熟な処理は、処理歯の早期の磨耗を招き、歯の破損さえも招く（ドイツ連邦共和国特許第198 45 166号明細書）。
【特許文献１】ドイツ連邦共和国特許第198 45 166号明細書
【発明の開示】
【発明が解決しようとする課題】
【０００３】
本発明の課題は、この点を補助することにある。
【０００４】
本発明は、上述した種類の回転工具を提供する技術的問題に基づく。この回転工具では、処理歯が、高い回転速度で操作されても磨耗しにくくかつ破損の危険が少ないこと、及び仕様に合わない処理を特徴とする。
【課題を解決するための手段】
【０００５】
この課題は、回転工具の一般的な種類を具備した本発明により、特定の幅及び高さの安定化ウェブが外側リムの円周方向に沿った処理歯間の歯のギャップ内に配置され、処理歯との複合配置を形成することによって解決される。本発明のこれらの手段の結果は、処理歯によって形成されたレバーアームの長さが相当に低減されることである。その結果、安定化ウェブの幅が処理歯の幅よりも小さくても、処理歯の破壊が驚くほどに阻止される。しかも磨耗が、この方法で十分に低減される。そして磨耗の増大を考慮しても、外側リムつまり処理歯を有する歯の付いたリムの実際の稼働同心度の精度が最適化される。このことは、高い回転速度での未熟な又は不適切な操作でも成立する。その結果、処理される面に関する傷又は損傷の危険なしに、寿命，削除及び洗浄能力が向上する。
【０００６】
本発明のさらなる特徴を以下に記す。本発明は、例えば処理歯と同じ材料から成る安定化ウェブ及び処理歯の側面に形成された安定化ウェブを提供する。その結果、この安定化ウェブは、好ましくは処理歯つまり外側リム，処理歯の共通の支持部を有する１つの構造ユニットを形成する。さらに本発明では、これらの安定化ウェブは、外側リブの円周方向に沿って同じ高さであって処理歯間の中心に配置されている。外側リブのこの対称な配置は、本発明の回転工具の操作使用の間の実際の稼働同心度の精度を支援する。このため、安定化ウェブは、処理歯の歯の高さの約２／３に相当する放射状の高さを有する。さらに安定化ウェブの軸線方向の幅は、処理歯の軸線方向の幅の約１／５〜２／５に相当する。このような寸法を考慮した場合、特に満足のいく効果が、磨耗の低減及び破損の危険に関して実現される。このことは、歯の付いたリムの円周方向に沿った処理歯の頭の厚さが約７〜９mm、好ましくは８mmになる事実を考慮しても成立する。
【０００７】
以下に、本発明を１つだけの実施の形態を示す図に基づいて詳しく説明する。
【発明を実施するための最良の形態】
【０００８】
図は、表面処理用のゴム又はゴム状のプラスチック製のリング形ディスク１の実施の形態の回転工具を示す。このリング形ディスク１は、外側リム２及び内側リム３を有する。この場合、外側リム２は、フレキシブルな弾性処理歯４を有する歯の付いたリムを備える。内側リム３は、回転可能に駆動されるディスクホルダ５に接触するように整合されている。安定化ウェブ６が、所定の幅Ｂ及び高さＨで外側リム２の円周方向に沿って処理歯４間の歯のギャップ内に配置されている。これらの安定化ウェブ６は、処理歯４との複合ユニットを形成する。これらの安定化ウェブ６は、処理歯と同じ材料から成りかつ処理歯の側面に形成されている。その結果、これらの安定化ウェブ６は、処理歯及び外側リム２を有する１つの構造ユニットを形成する。さらにこれらの安定化ウェブ６は、外側リム２の円周方向に沿って同じ高さである、つまり列になって配置され、処理歯４間の中心にも配置されている。これらの安定化ウェブ６は、処理歯の歯の高さの約２／３に相当する放射高さＨを有する。例えば、処理歯４が30mmの高さを有する場合、安定化ウェブ６の高さＨは20mmになる。安定化ウェブ６の軸線方向の幅Ｂは、処理歯４の軸線方向の幅Ｂの約１／５〜２／５に相当する。この実施の形態によれば、安定化ウェブ６の幅は約６mmである一方で、処理歯の幅は約30mmである。これに対してさらに、歯の付いたリムの円周方向に沿った処理歯４の頭の厚さは、約７〜９mm、好ましくは８mmである。
【図面の簡単な説明】
【０００９】
【図１】圧縮空気式研削装置に組み立てられた後の回転工具を示す。
【図２】図１の対象物のリング形ディスクの形態の回転工具の側面図である。
【図３】図２の対象物の一部の平面図である。
【図４】図２の対象物の断面図である。
【符号の説明】
【００１０】
１  リング形ディスク
２  外側リム
３  内側リム
４  処理歯
５  ディスクホルダ
６  安定化ウェブ
【図１】
2006110717.tif 000003
【図２】
2006110717.tif 000004
【図３】
2006110717.tif 000005
【図４】
2006110717.tif 000006
(57)【要約】      （修正有）【課題】消失模型鋳造法で用いる模型部材の樹脂によって鋳造室内に生じたガスが、鋳造品の鋼質に悪影響を及ぼさない装置を提供する。【解決手段】鋳造枠１を内壁と外壁からなる空洞状とし、鋳造室側の内壁に６ミリの穴２を無数に開孔し、内壁の内側を複数の金属メッシュ４Ａ、４Ｂ、４Ｃで覆う。外壁側面に８０ミリの穴３を１ヶ所開け、これを減圧装置に連結する。【効果】、減圧装置を稼動して鋳造を行う場合、金属メッシュが砂の流失を防ぎ、鋳造室内に充満したガスを鋳造室側の全面より効率よく除去する事ができ、ステンレス鋼ＳＣＳ１３などを良好に鋳造する事が可能となる。【選択図】図１
2006110624.tif 000002
【特許請求の範囲】
【請求項１】
消失模型鋳造法に用いる鋳造枠（１）を、角又は円筒状を凹型にし、凹の鋳造室側フラスコ状の全面に６ミリの穴（２）を無数に開け、その穴（２）全体を金属メッシュ・メッシュ番号３０番（４Ａ）・同１００番（４Ｂ）・同２００番（４Ｃ）を順に重ねて覆い、そして、凹の外側側面に８０ミリの穴（３）を１ヶ所開けた、構造の枠。
【請求項２】
消失模型鋳造用の模型（５）部材にアクリル１００％の樹脂を使用し、請求項１の鋳造枠（１）の外側側面の穴（３）と減圧用ポンプ（１０）に連結したレシバータンク（１１）とを耐熱ホース（１２）で繋いだ構成を用いて、消失模型鋳造法で行えなかった鋼種を鋳造する方法。
【発明の詳細な説明】
【発明の詳細な説明】
【発明に属する技術分析】
【０００１】本発明は、消失模型鋳造法で用いた模型部材の樹脂による鋳造室内に生じたガスを、鋳造枠の構造を凹型にし、凹の鋳造室側の全面に６ミリの穴を開け、その穴全体を目の異なる複数の金属メッシュで覆い、そして、凹の外側側面に８０ミリの穴を１ヵ所開け、その穴と減圧用ポンプに連結したレシバータンクとを耐熱ホースで繋いだ構成で、減圧装置を稼動して除去して、消失模型鋳造法で鋳造できなかったステンレス鋼ＳＣＳ１３・同ＳＣＳ１４などの鋼種を鋳造する方法。
【背景技術】
【０００２】従来、消失模型鋳造法は、鋳造用の模型の部材にポリエスチレンやポリメチルメタクリコート又はメタクリルなどの発泡性樹脂を単一品又は混合品を使用し、その模型を鋳造室内の砂の中に付設し、高温風又は溶解金属熱によって樹脂を気体化させ、消失した模型体の空洞の部分に目的の金属を溶解して鋳込む方法である。また、同工法で使用する鋳造枠は、模型部材によって生じた気体即ちガスを、鋳造室内の一部分より除去する方法の枠である。そのため、鋳造室内に広がったガスの除去効率が悪く、鋳造品の鋼質の安定を図ることが困難である。この鋳造法では、ステンレス鋼ＳＣＳ１３・同ＳＣＳ１４などの鋼種は鋳造できない工法である。
【発明が解決しようとする課題】
【０００３】この消失模型鋳造法には、次のような欠点がある。消失模型鋳造法は、模型部材に用いた樹脂を溶解金属熱によって消失させて鋳造する方法であるが、しかし、消失しガス化した樹脂成分が、鋳造室内の砂の中や消失した模型の空洞部分に大量に残留し、鋳込まれた金属の成分とガス成分の同質成分が同化することが問題である。
【発明が解決しようとする手段】
【０００４】本発明は、以上のような欠点を解決するためなされるものである。鋳造枠（１）を断面で示すと、角又は円筒を凹型状にしたもので、凹の内部は空洞（９）である。その凹の鋳造室側フラスコ状の全面に直径６ミリの穴（２）を無数に開け、その穴（２）全体を目の異なる金属メッシュ・メッシュ番号３０番（４Ａ）・同１００番（４Ｂ）・同２００番（４Ｃ）を順に重ねて覆い、また、凹の外側側面に直径８０ミリの穴（３）を一ヶ所開けた、構造の枠とする。その鋳造枠（１）を振動装置（１３）の上に設置し、鋳造枠（１）の外側側面の穴（３）と減圧用ポンプ（１０）に連結したレシバータンク（１１）とを耐熱ホース（１２）で繋いだ構成で、減圧用ポンプ（１０）を稼動して、鋳造を行なう方法である。この方法では、消失模型鋳造用に用いた模型部材の樹脂による鋳造室内に生じたガスを速やかに除去することが可能である。従って、消失模型鋳造法で行なえない鋼種問題を解決するものである。
【発明を実施するための最良の形態】
【０００５】以下、本発明によるステンレス鋼ＳＣＳ１３を消失模型鋳造法で実施した形態について説明する。消失模型鋳造法の模型（７）部材にアクリル１００％の発泡性樹脂を使用し、立方体３００ミリ×１５０ミリ×２００ミリの模型を作製。  その模型（５）を、振動装置（１３）上に設置した鋳造枠（１）の硅砂（８）の中に付設し、模型（５）体の側面より鋳込み口（６）と同体の上面より湯上り口（７）を上部に向けて施し、振動装置（１３）を稼動して硅砂（８）を模型（５）に密着させる。そして、ステンレス鋼ＳＣＳ１３を摂氏１６５０度に溶解し、レシバータンク（１１）の減圧率を３５０ＨＰに設定し、減圧用ポンプ（１０）を稼動して鋳込みを行ない、その後、減圧を２０分程継続して鋳造を完了。
【発明の効果】
本発明で、鋼種番号ＳＣＳ１３チテンレス鋼を消失模型鋳造法で行なった鋳造品の湯込み口を切断したＡ位置・湯上り口を切断したＢ位置の２ヶ所を鋼質分析した結果、問題となっていた炭素量は、    Ａ位置  ０．０６９    Ｂ位置  ０．０７３これを、日本工業規格・鋼種ＳＣＳ１３の鋼質基準０．０８と比較すると適合範囲で、鋳造品の形状も良好であった。なお、他の鋼質については、別紙・分析表で示す。
【図面の簡単な説明】
【０００７】
【図１】断面面  この図は、本発明の鋳造枠の形態及び構造を断面で表わしたものである。
【図２】正面図  図２は、鋳造に関わる装置の構成を正面図で表したものである。
【符号の説明】
符号        １  鋳造枠                ５  模型        ２  穴                    ６  湯込み口        ３  穴                    ７  湯上り口      ４Ａ  金属メッシュ３０番    ８  硅砂      ４Ｂ  金属メッシュ１００番  ９  空洞部      ４Ｃ  金属メッシュ２００番  符号  １  鋳造枠              １２  熱ホース      １０  減圧用ポンプ        １３  動装置      １１  レジバータンク
【図１】
2006110624.tif 000003
【図２】
2006110624.tif 000004
(57)【要約】【課題】筒内部にモーターつきプッシュロッド（押棒）を設けた空缶プレス機械を提供する。【解決手段】空缶が挿入できる筒の上部にセンサー（１）を設け、下部には落ち口（２）を設け、中空部分にはモーターつきプッシュロッド（押棒）（３）を内蔵した事を特徴とする。【選択図】図１
2006110622.tif 000002
【特許請求の範囲】
【請求項１】
空缶が挿入できる筒の上部にセンサー（１）を設け、下部には落ち口（２）を設け中空部分にはモーターつきプッシュロッド（押棒）（３）を内蔵した空缶プレス機械。
【発明の詳細な説明】
【技術分野】
【０００１】この発明は、筒内部にモーターつきプッシュロッド（押棒）をもうけた空缶プレスに関するものである。
【背景技術】
【０００２】従来１個ずつ空缶をプレスするには開閉可能な両面板状のパネルの間に空缶をはさみこみ外部から力を加えてプレスをしていた。
【発明の開示】
【発明が解決しょうとする課題】
【０００３】これは次のような欠点があった。
イ）人力でプレスするため体力の範囲でしかプレスできない。
ロ）プレスし終った空缶は１回毎にとりださなければならない。
本発明は、これらの欠点を除くためになされたものである。
【課題を解決するための手段】
【０００４】キヤップのない筒上部にセンサー（１）を設け、キヤップのある筒下部には空缶の落ち口（２）をもうける。そして筒内部の中空部分にモーターつきプッシュロッド（押棒）（３）を内蔵する。
本発明は以上のような構成よりなる空缶プレス機械である。
【発明の効果】
【０００５】本発明は、以上のような構造でこれを使用する時、筒上部より空缶を投げ入れるとセンサーが働き自動的に空缶がプレスされる。
【発明を実施するための最良の形態】
【０００６】以下、本案の実施の形態について説明する。
イ）キヤップのない筒上部にセンサー（１）を設けキヤップのある筒下部には空缶の落ち口（２）を設ける。
ロ）筒内部の中空部分には、モーターつきプッシュロッド（３）を設ける。
又プッシュロッドの先端には空缶と同程度のおおきさを有するプレート（４）を設ける。
ハ）筒の下側には収納カゴ（５）を設け、筒と収納カゴとを囲うためのケース（６）を裝着する。本案を使用する時は、筒上側（７）より使用済の空缶を入れる。
投入された空缶は、筒下部に位置する。筒上部にあるセンサー（２）が空缶を識別しモーターが稼働する。プッシュロッド（３）が下方に移動し、その先端にあるプレート（４）が空缶に接し、その圧力で空缶をプレスする。
プレスが完了するとモーターが反転し圧縮された空缶は落ち口（２）から外側へ放出される。外側へ落ちた空缶は種類別に区別された収納カゴ（５）に入る。なお、空缶以外のものが投げ入れられた場合センサーは働かず筒下部のキヤップが開かれて外側に放出される。ケース（６）には返金用のコイン取り出し口（８）を内蔵したり、点検用や収納カゴとりだし用のドアー（９）も設ける事ができる。
【図面の簡単な説明】
【０００７】
【図１】      本発明の斜視図である。
【図２】      本発明の断面図である。
【符号の説明】
【０００８】  １  センサー  ２  落ち口  ３  プッシュロッド  ４  プレート  ５  収納カゴ  ６  ケース  ７  筒上側  ８  コイン取りだし口  ９  ドアー
【図１】
2006110622.tif 000003
【図２】
2006110622.tif 000004
(57)【要約】【課題】    幼児が発熱した際、早期に脇の下の動脈を冷却して解熱してやる事が望ましいが、幼児が寝返り等、動き回る事で冷却剤がずれる事が多い為、簡単にピンポイントで冷却剤を固定でき、成長にも合わせ調整でき且つ洋服を脱がさなくとも固定、装着できる冷却剤ホルダーを提供したい。【解決手段】            腕を通し脇の周りを一周できマジックテープで輪の形に固定できる、脇の下にあたる部分に冷却剤を入れることが出来るポケットを装備したホルダーもしくはホルダー自体を冷却剤にした考案品１を左右の脇に付け、更に左右のホルダーをマジックテープを利用した長さ調整できる胸側用と背中側用ベルト２で固定した。又、冷却剤ホルダーやベルトは収縮性のある素材が好ましい。又、考案品サイズを大、小様々なタイプにする事で子供用から大人用も提供できた。【選択図】  図３
2006110305.tif 000002
【特許請求の範囲】
【請求項１】
マジックテープを利用した幼児用の解熱用脇の下冷却剤ホルダー
【発明の詳細な説明】
【発明の詳細な説明】
【０００２】    本発明は幼児の発熱時に冷却剤を簡単且つ安全でずれる事無くピンポイントで脇の下の動脈を冷却できるマジックテープを利用した冷却剤ホルダーである。
【技術分野】
【０００３】    Ａ４１Ｄ  １１／００
【発明が解決しようとする課題】
【０００４】    幼児が発熱した際  早期に脇の下の動脈を冷却して解熱してやる事が望ましいが、幼児が寝返り等、動き回る事で冷却剤がずれる事が多い為、簡単にピンポイントで冷却剤を固定でき、成長にも合わせ調整でき且つ洋服を脱がさなくとも固定、装着できる冷却剤ホルダーを提供したい。
【課題を解決するための手段】
【０００５】    腕の付け根部分  脇の周りを一周できマジックテープで輪の形に固定でき、脇の下に当たる部分に冷却剤を入れることが出来るポケットを装備したホルダーもしくは、ホルダー自体を冷却剤とした考案品１を左右の脇に付け、更に左右のホルダーをマジックテープを利用した長さ調整できる胸側用と背中側用ベルト２で固定した。又、冷却剤ホルダーやベルトは収縮性のある素材が好ましい。
【発明実施の形態】
【０００６】    薄手の収縮性のある素材で脇の周りを一周でき冷却剤を入れる事のできるポケットを装備したマジックテープを利用し成長にあわせ長さ調整できるホルダーもしくは、ホルダー自体を冷却剤とした考案品１を左右の脇に装着し左右のホルダーを収縮性のある素材でマジックテープを利用したバンド２で胸側と背中側で固定した。又、ホルダーやバンドはやわらかく体に痛みの少ない物が良い。又、バンドは幅広のタイプが更に痛みが少なく良い。又、考案品サイズを大、小様々なタイプを作ることで子供用から大人用を提供する事も出来た。
【発明の効果】
【０００７】    本発明の効果により  幼児の発熱時に簡単に冷却剤１を脇の下に装着でき、幼児の寝返り等で冷却剤がずれる事無く、且つ冷却剤を取り替える事も簡単に行えた。又、マジックテープの効果で幼児の成長にあわせバンド２やホルダー１の長さを調整できた。又、考案品サイズを大、小様々なタイプにする事で子供用から大人用も提供出来た。
【図面の簡単な説明】
【０００８】
【図１】  冷却剤ホルダーの平面図である
【図２】  ベルトの斜面図である。  又、ベルトは胸側、背中側対象であるため図には片方のみ明記する。
【図３】  考案品を体に装着した状態の斜面図である。
【符号の説明】
【０００９】  １    冷却剤ホルダー
２    ベルト
３    マジックテープのオス側である。
４    マジックテープのメス側である。
【図１】
2006110305.tif 000003
【図２】
2006110305.tif 000004
【図３】
2006110305.tif 000005
(57)【要約】【課題】バイクアクセサリー、いわゆる二輪車のアクセサリーに於いて、走行中の旋回時に起こる傾きを再現し、臨場感の有る雰囲気を得ようとするものである。【解決手段】自動車の旋回時に発生する、遠心力を利用し重りを移動させ、この時の力で人形を傾ける構造としたものである。【選択図】図  １
2006110306.tif 000002
【特許請求の範囲】
【請求項１】
箱体（１）の中央部へ溝（２）を設け、溝（２）の延長先の各面に小穴１（３）及び、小穴２（４）を各１個づつ対象となるように開ける。
この小穴１（３）及び、小穴２（４）を心棒（５）の軸受けとして、そこに心棒（５）を設置し心棒（５）が回転出来るようにしておく。
心棒（５）には重り（６）を取り付け、その反対側に、バイク人形（７）を取り付けたバイクアクセサリー。
【請求項２】
重り（６）の重量を、バイク人形（７）の重量より大きくし、重り（６）が重力方向に、又バイク人形（７）は心棒（５）を軸として重力と反対方向に位置するようにし、心棒（５）の両端を、箱体（１）の小穴１（３）と小穴２（４）とで受け、バイク人形（７）が箱体（１）の上面に立つ様にしたバイクアクセサリー。
【発明の詳細な説明】
【技術分野】
【０００１】  本発明は自動車内に置いて、遠心力を重りに作用させて傾かせ、その傾く時の動きで人形を動かす装置に関するものである。
【背景技術】
【０００２】  従来自動車用アクセサリーとしては、装飾品であって、かつ動的要素のないものが主であり単に自動車内に置いておく物であった。
本発明の様な乗り物のアクセサリーについても同様であった。
【発明の開示】
【発明が解決しようとする課題】
【０００３】  従来のバイクアクセサリーは乗り物としての、旋回時の傾き等の、自然の現象をかもし出すことはなく、バイクの走行時の独特な雰囲気は得られなかった。
本発明はこの問題を解決し、バイクの走行時に於ける現象を再現させようとするものである。
【課題を解決するための手段】
【０００４】  箱体（１）の一面に、心棒（５）の太さと同程度又はそれ以上の幅の溝（２）を切り欠き、溝（２）の延長先の両面の溝（２）に近い場所に、小穴１（３）及び小穴２（４）を開け、その小穴１（３）及び小穴２（４）が軸受けとなる様に、適当な長さの心棒（５）を配置する。
この時心棒（５）は回転出来るようにしておき、心棒（５）には重り（６）を取り付け、その反対側にバイク人形（７）を取り付ける。
又重り（６）の重量とバイク人形（７）の重量の差については、重り（６）の方を大きくして、重り（６）が重力方向に、バイク人形（７）は重力と反対方向に位置するように構成するものである。
【発明の効果】
【０００５】  本発明は、二輪車をモデルとしたアクセサリーであり、走行中の自然現象による傾きを再現し臨場感を楽しむものであり、自動車の旋回時に発生する遠心力を利用することで、その効果を出そうとするものである。
【発明を実施する為の最良の形態】
【０００６】以下本発明の実施の形態を説明する。
（イ）図２に於いて、箱体（１）の一面の中央に、心棒（５）より幅広の溝（２）を切り欠き、溝（２）の延長先の両面の溝（２）に近い場所に、小穴１（３）及び、小穴２（４）をそれぞれ開ける。
（ロ）小穴１（３）及び、小穴２（４）が軸受けとなる様に、心棒（５）を配置し、心棒（５）が回転出来るようにしておく。
（ハ）回転軸である心棒（５）に重り（６）を取付け、重り（６）と反対側にバイク人形（７）を取り付ける。
重り（６）の重量を、バイク人形（７）の重量より充分に大きく設定する。
本発明は以上の構成よりなる。
【実施例】
【０００７】  本発明のバイクアクセサリーを、自動車のダッシュボードの上などに両面テープ等で、バイク人形（７）が車の進行方向を向くように貼り付け固定するものである。
本発明のバイクアクセサリーを取り付けた自動車が停止している場合、重り（６）は心棒（５）が小穴１（３）及び、小穴２（４）により支えられている為、重力により垂直下向きになり、バイク人形（７）は垂直上向きとなる。
自動車が直進走行中は、遠心力が働かないので、停車中と同じに重り（６）は垂直下向きのままであり、バイク人形（７）も又、直立姿勢である。
自動車が左方向に旋回中の場合、図４に示す様に重り（６）は遠心力により右方向へ移動しようとする。
従って、バイク人形（７）は心棒（５）を軸に左方向に傾くことになる。
又、自動車が右方向に旋回中の場合、図５に示す様に重り（６）は遠心力により左方向へ移動しようとする。
従って、バイク人形（７）は心棒（５）を軸に右方向に傾くことになる。
これは、バイク人形（７）が、自動車の何れの旋回方向にも傾く事となり、走行中に二輪車に起こる自然な現象が再現される。
これは、あたかも二輪車が実際に走行しているが如くに見える。
【図面の簡単な説明】
【０００８】
【図１】本発明の側面図
【図２】本発明の箱体の斜視図
【図３】本発明の全体の後面図
【図４】本発明の左傾斜状態図
【図５】本発明の右傾斜状態図
【符号の説明】
【０００９】（１）箱体
（２）溝
（３）小穴１
（４）小穴２
（５）心棒
（６）重り
（７）バイク人形
【図１】
2006110306.tif 000003
【図２】
2006110306.tif 000004
【図３】
2006110306.tif 000005
【図４】
2006110306.tif 000006
【図５】
2006110306.tif 000007
(57)【要約】【課題】  被集塵物と電気掃除機等の中間に配置し、塵埃や液体等を捕集する事により、電気掃除機等のフィルターに掛ける負担が少ない、サイクロン中間集塵器を提供する。【解決手段】  ２の吸入口  に接続されたホースに依り吸引された塵埃は、３の容器内吹き出し口  から中間集塵器内に吹き出され、サイクロン効果に依り旋廻しながら下部５  にたまる。４の電気掃除機接続口    に接続されたホースに依り吸引された空気は、中間集塵器の中の空気を吸引しながら、４の電気掃除機接続口  から電気掃除機に導入される。又、液体等を吸引の場合、其のレベルが液体停止ラインに達すると、１２の水位停止弁が働き液体の吸引を自動的に停止して、電気掃除機等への吸込みを防止する。【選択図】  図１
2006110301.tif 000002
【特許請求の範囲】
【請求項１】
被捕集物である塵埃等と電気掃除機等の中間に配置されたサイクロン中間集塵器
【発明の詳細な説明】
【技術分野】
【０００１】  本発明は、非吸引物である塵埃と電気掃除機等の中間に配置して電気掃除機等により発生する、負圧を利用して、サイクロン中間集塵器に塵埃を捕集するものである。
【背景技術】
【０００２】  従来の電気掃除機は乾式、湿式、乾湿両用、等に大別され一部業務用として乾湿両用機もあった。又、コンプレッサーを利用した真空発生器によるエヤー式バキュームポンプもあった。が、真空発生器を作動させる為には、１〜３馬力程度の出力を必要とし、手軽に使用できる環境には無かった。又、一般家庭用の電気掃除機を使用する時には、塵埃が多量の時、掃除機本体の集塵部が一杯に成る度に、その使用を中断し、塵埃を取り除く必要があった。又集塵物が紛体等の場合はフイルター等の清掃を頻繁に行う等の必要があった。
【発明の開示】
【発明が解決しようとする課題】
【０００３】  しかし、前記従来のエアー式バキュームポンプは、小規模事業所では、コンプレッサーを所有していない等、手軽に使用可能な環境ではなかった。又、一般家庭用の電気掃除機では、特殊な掃除機以外、液体は吸引できない。又、粉体を吸引する場合にはフイルターが目詰まりを起こし易い等の問題があった。
【課題を解決する為の手段Ｉ】
【０００４】  本発明は前記従来の課題を解決する為のもので、集塵部としてはペール缶、ドラム缶等が使用可能で、塵埃の種類としては、粉体、固体、及び液体といずれでも集塵可能である。電気掃除機等と塵埃との中間に配置された、サイクロン構造の中間集塵器である。水等の液体を吸引した場合、設定された水位まで液体が上昇するとフロートが上昇してバルブを閉鎖し、更に、電気掃除機からの吸引力により、セルフエナージング効果が発生して、より閉鎖力を強めることが出来る。これにより電気掃除機への液体の流出を防止可能な構造となっている。サイクロン方式と相まって電気掃除機等のフイルターに対しても、負荷がかかりにくい集塵部を有するサイクロン中間集塵器である。
【発明の効果】
【０００５】  本発明は前述のサイクロン中間集塵部を設置する事により、いかなる種類の電気掃除機等でも乾湿両用に使用可能となり、又、その集塵部の容量も容器の大きさを選定する事により、ほとんど無限大にすることが出来る。又、一方吸引に使用する掃除機はフイルター等の目詰まりも起こりにくく長時間の連続使用に耐えうる事が可能となる。
【発明を実施するための最良の形態】
【０００６】  次に本発明装置の実施の形態を図に基づいて、詳細に説明する。
図１のサイクロン中間集塵器を図に示すように、被吸引物である塵埃等は
２：の吸引口  より吸い込まれ  ３：の容器内吹出し口を経て  １：のサイクロン中間集塵器  に吸い込まれる。其の時、塵埃は  ５：の底部  に集塵物として落下し空気のみ１１：の空気流入口  を経て  ４：の電気掃除機接続口  を通り電気掃除機等に至る。又、液体は前述の過程を経て  ５：の底部  に至るが、液体の水位が  ６：液体停止ライン  まで上昇すると、１２：水位停止弁部内のフロートが液体によって浮き上がり  ９：停止弁座  を閉鎖して電気掃除機等へ空気の流れを停止させ、液体が電気掃除機に流入するのを防止する。更に、電気掃除機等の吸引力によりフロートと停止弁座の間に、セルフエナージング効果が発生して、より一層閉鎖力を強めることが出来る。
【図面の簡単な説明】
【０００７】
【図１】本発明のサイクロン中間集塵器の説明図である。
【図２】本発明のサイクロン中間集塵器水位停止部の説明図である。
【符号の説明】
１  サイクロン中間集塵器      ２  吸入口                  ３  容器内吹出し口
４  電気掃除機接続口          ５  集塵物                  ６  液体停止ライン
７  フロート非動作位置        ８  フロート動作位置        ９  停止弁座
１０  水流入口                １１  空気流入口            １２  水位停止弁部
【図１】
2006110301.tif 000003
【図２】
2006110301.tif 000004
(57)【要約】【課題】  スリッパに指を別ける４つの分岐をつけた五本指スリッパを提供する。【解決手段】  足の形に切り抜いた足型に４つの分岐を設け、分岐を包み込むように帯を設け、底に足型クッションを設け、表側に分岐の切れ込みを入れた足型表を設け、分岐と帯の上部に前アッパーを設け、本体と足型クッションを貼り合わせ、立ちあげるように帯下部に貼り前あてを設け、前あて上下切り口に補強帯を設け、それぞれの切り口に縁取りを設け、かかとにかかとクッションを設け、本体アッパー甲部にマジックテープを装着したことを特徴とする五本指スリッパ。【選択図】  図１
2006110308.tif 000002
【特許請求の範囲】
【請求項１】
足型の台座に４つの分岐を設け、分岐を包むように帯を設け、底に足型のクッションを設け、表側に足形表を設け、分岐と帯上部に前アッパーを設け、本体と足型クッション底側を貼り合わせるように立ちあげ、帯部に前あてを設け、前あての上下の切り口に補強帯を設け、それぞれの切り口部分にふちどりを設け、かかと部にかかとクッションを設け、本体アッパー甲部にマジックテープを装着したことを特徴とする五本指スリッパ。
【発明の詳細な説明】
【技術分野】
【０００１】  本発明は、スリッパの指の部分が五本指に別れるように分岐をつけた五本指スリッパに関するものである。
【背景技術】
【０００２】  従来、スリッパはサンダルタイプか突っ掛けタイプのものがあった。
【発明の開示】
【発明が解決しようとする課題】
【０００３】  そのために、次のような問題点があった。
（イ）日頃、くつやサンダルを履いての生活で拘束状態にありがちな足のため裸足なって足の指をいっぱいに広げることの出来ない人も多く、そういう人の中には足の疲れから、健康状態に悪影響を少なからずうけている。
（ロ）突っ掛けタイプのスリッパはフリーサイズが一般的で、足の甲の高い人が履くとアッパー部の切り口が足の甲に当たり痛い思いをしたり、足の指の部分しか入らないことで歩くと脱げそうになるので、足に力が入り歩きにくく履物を履くという本来の役目からは、かけ離れたものであった。
【課題を解決するための手段】
【０００４】足型の台座に足の指が別かれるように４つの分岐を帯で包み込むように設け、底に足型のクッションを設け、分岐の切れ込みを入れた足型表を表側に設け、分岐と帯の上部に前アッパーを設け、足型クッション底側に本体を張り合わせながら立ち上げ、本体前部を帯下部にかぶせるように設け、帯部分に前あてを設け、前あて上下切り口部分に補強帯を設け、それぞれの切り口に縁取りを設け、かかと部にかかとクッションを設け、本体のアッパー甲部にマジックテープを装着する。以上を特徴とする五本指スリッパである。
【発明の効果】
【０００５】足の指を１本１本別けるように広げた状態で履いていることで、足裏から指にかけてのストレッチングや運動になり足の疲れの緩和が健康への促進となる。
【発明を実施するための最良の形態】
【０００６】以下、本発明の実施の形態について説明する。
（イ）足の形に切り抜いた足型（１）に分岐（２）を足の指と指の間の４ヵ所に帯（３）で包み込むように設け、底の部分に足型クッション（４）を足型（１）裏に張り合わせ設ける。
（ロ）足型（１）の分岐（２）位置に合わせ切れ込みを入れた足型表（５）を設け、分岐（２）と帯（３）上部と張り合わせるように前アッパー（６）を設ける。
（ハ）本体（７）を足型クッション（４）に張り合わせ、本体（７）前部を立ち上げるように帯（３）下部に張り、それを覆うように帯（３）の幅と同じ前あて（８）を設ける。
（ニ）前あて（８）上下切り口に補強帯（９）を設け、上切り口の補強帯（９）に補強の縫製を加える。それぞれの切り口に縁取り（１０）を設け、アッパー甲部（１１）にマジックテープ（１２）を設け、後部の立ち上がり部分を足型表（５）に張り、その上からかかとクッション（１３）を設ける。
本発明は以上のような構成で、これを使用するときは、本体（７）アッパー甲部（１１）のマジックテープ（１２）をはずし左右に広げ足の指を少し広げぎみに、前アッパー（６）内にさし入れ分岐（２）で別れている部分に足の指１本１本を納め、アッパー甲部（１１）で軽く締めマジックテープ（１２）を止め、履き心地を確かめて良ければ、室内履きや台所仕事のときに履くことで、足の指が強制的に広げられるストレッチング効果によって、足のこりや疲れが緩和され健康促進となる。
【図面の簡単な説明】
【０００７】
【図１】  本発明の斜視図
【図２】  本発明の分解図
【図３】  本発明の実施例の斜視図
【符号の説明】
【０００８】      １  足型
２  分岐
３  帯
４  足型クッション
５  足型表
６  前アッパー
７  本体
８  前あて
９  補強帯
１０  縁取り
１１  アッパー甲部
１２  マジックテープ
１３  かかとクッション
【図１】
2006110308.tif 000003
【図２】
2006110308.tif 000004
【図３】
2006110308.tif 000005
(57)【要約】【課題】  鼠径ヘルニヤ患者は、内臓の脱出を防止して症状を軽減するために、患部を押さえる手当てに脱腸帯を装着、治療に専念する事にある。【解決手段】患者Ｐの日常生活中の散歩、軽い運動、屈伸等の動きの中、臀部に押し当てる押さえパッドが比較的硬く腹筋の動き等で、ずれる心配があります、本発明は僅かな運動にも順応出来るエヤー張力にて筋肉の動きにも蜜着、外れにくい特徴の脱腸帯を提供します。【選択図】            図２
2006110307.tif 000002
【特許請求の範囲】
【請求項１】
患者Ｐの下腹部に患う、脱腸患者の澱部を平常に保つのに、下腹部を脱腸帯で押さえて治療しておりますが、臀部の位置を決める、押さえパットは、比較的硬くて、ずれ易い欠点があった、本発明は押さえパッドの内面にエヤーを充填成し、張力の微調整で臀部を押さえ愉和感を感じさせない特徴の脱腸帯を提供。
【請求項２】
患者Ｐの日常生活の中、散歩、軽作業等屈伸動作の中に脱腸帯の移動又は、緩み等の違和感に悩まされる、この問題を防ぐのに  腰帯で位置決めして、背部より股間を通して臀部に付設の突起状の押さえパッドを備えて成り、股間の紐帯にて調節する物である「請求項１」エヤー張力にて臀部を優しくカバー出来る特徴の脱腸帯。
【請求項３】
前記付設の押さえパッドの使用時、硬さの違和感、不具合を取り除くのに押さえパッドの内部を中空施し内面にエアーパックを挿入するもので、エアーの張力で押さえパッドを施し、「請求項２」記載脱腸の澱部を押さえる特徴の脱腸帯。
【請求項４】
押さえパッド内面の外周に、二層に軟質のスポンジ、ゴムパッキングを接着なし内面の外周を密封エアーバックを設置した事を特徴の押さえパッド、「請求項２」及び「請求項３」記載の脱腸帯。
【請求項５】
前記の押さえパッドと臀部の接触点を２層に施し先端を臀部に密着次にエアーパッグの張力にて密着部をホローします、猶エヤーパッグにはエヤーバルブを付加成し、エヤーポンプにて充填張圧で微調整臀部に密着する特徴を持つ、「請求項１」〜「請求項５」各々「１項」に記載の脱腸帯。
【請求項６】
腰帯の背面に移動式可能のカバーを付設なし、患者Ｐの、左右両面使用に即、対処できる機能をもつ特徴の脱腸帯。
【発明の詳細な説明】
【技術分野】
【０００１】本発明は脱腸を患う患者Ｐの臀部を保護治療に係わる、懸け変えのない必需品であり、患者の日常生活、軽作業散歩等に対しての、押さえパットや腰ベルトのずれる愉和感や、又は締め付けに依る苦痛、ゆるみによる不具合の発生に苦慮しております、係る問題の改善に各企業各方面で近年特に研究が成されています。
【背景技術】
【０００２】
【特許文献】特開２００３−２６５５０９号広報（代表図面）に紹介されている、脱腸帯は、良く研究成されております、腰帯、股帯、サイドからの補助帯にて固定、着用の治療ベルトが発表されていますが、臀部を固定する押さえパットの突起部は、比較的硬く腹筋、屈伸の動きによる押さえパッドの移動で、恥骨の圧迫による擦り傷や皮膚の炎症等を引き起こす心配があります。
【発明の開示】
【発明を解決しようとする課題】
【０００３】係る従来技術によるところの、患部を押さえるパッドを安定の位置に定めるため、パッドの柔軟性安全性が要求とされ、患部に強い衝撃を与えない安全性が、求められる押さえパッドが必要であります、前記に示した押さえパッドの内面は中空に施し内部にエヤーをバッグに挿入成し、押さえパッドを成型し、更に腰帯の柔軟製を保つことも慣用であります、背面部より股間を介して三点間で患部を支えていたが安定するのが難しい問題があった。
【０００４】この難点の解消に両サイドより補助ベルトを付加、各ベルトはそれぞれ柔軟性を有し、臀部を無理なく安定に保って治療が出来る、また左右両臀部に患う患者Ｐの手当ては背面より股間を介したベルトで定める、更に股間を介する左右のベルトの同時に微調整出来る、腰帯に移動可能のカバーを付加成した特徴の脱腸帯。
【発明を解決するための手段】
【発明の効果】
【０００５】係る従来の目的を達成するために、この発明の構成は患者Ｐの下腹部に当てる押さえパッドが無理なく、安定して位置ずれしなく安心して、使用出来る事は勿論である、腰帯、股間帯、サイド帯、
押さえパッドの各バランスの微調整が出来臀部を保護左右、両面脱着可能の特徴を有する脱腸帯。
【発明を実施するための最良の形態】
【実施例】
【０００６】前記に述べた腰帯を起点に背面で移動可能の帯カバーを付設成し、股間帯を連接し患部に押し当てることが出来るから、押さえパッド以外の部材によって患者Ｐの体に集中的な力が加えられる恐れがなく、尚且つ背面の股間帯で両臀部に患う患部をも保護押さえパッドを更に、両サイドに付設のベルトの調整により押さえパッドが、患者Ｐからずれることが少なく、安心、安定し得る特徴の脱腸帯。
【図面の簡単な説明】
【０００７】
【図１】平面図
【図２】拡大図
【符号の説明】
１・押さえパット
２・移動式背面カバー
３・腰帯
４・股間帯
５・サイド帯
６・止バックル
７・鍵フック
８・止めホック
１２・緩衝部
１・押さえパッド
３・腰帯
７・止めホック
９・エヤーパック
１０・エヤーバルブ
１１・押さえパック側面補強スポンジ
【図１】
2006110307.tif 000003
【図２】
2006110307.tif 000004
【図３】
2006110307.tif 000005
【手続補正書】
【提出日】平成17年4月21日(2005.4.21)
【手続補正１】
【補正対象書類名】明細書
【補正対象項目名】０００７
【補正方法】変更
【補正の内容】
【０００７】
【図１】本発明に係る押さえパッドの概略側面図
【図２】本説明に係る押さえパッドの概略拡大図
【図３】本発明に係る特許文献の参照、参考図
(57)【要約】      （修正有）【解決手段】ヒーターで暖めた温風を、濡れた食器類に直接吹き付けて水滴をはじき飛ばすと同時に、食器類と食器類についた水を直接暖めることを特徴とする。【効果】食器類を乾燥させるための所要時間の短縮と、所要時間の短縮による所要エネルギーの削減を可能にする。【選択図】図１
2006110304.tif 000002
【特許請求の範囲】
【請求項１】
濡れた食器類に温風を勢いよく吹き付けて、食器類についた水滴を風圧ではじき飛ばしながら食器類を乾燥させる機構。
【請求項２】
食器洗浄機が備える洗浄水噴射用の噴射口、洗浄水噴射用のポンプ装置を使って温風を噴射し、前項の動作原理によって食器類を乾燥させる、食器洗浄機の食器乾燥方法。
【発明の詳細な説明】
【技術分野】
【０００１】食器乾燥機の技術に関する。
【背景技術】
【０００２】従来の食器乾燥機では、濡れた食器類を格納する庫内全体の空気をヒーターで暖めて水分を蒸発させ、食器類を乾燥させる。
【発明の開示】
【発明が解決しようとする課題】
【０００３】前項の方法だけでは、庫内全体を暖めるために多くの時間と熱量が必要であり、また、食器類のくぼみ等に溜まった水滴を完全に乾燥させることに困難がある。
【課題を解決するための手段】
【０００４】前項の課題を解決する手段として、ヒーターで暖めた温風を、濡れた食器類に直接吹き付けて水滴をはじき飛ばすと同時に、食器類と食器類についた水を直接暖めることによって、短時間に少ない熱量で食器類を乾燥させる。
【発明の効果】
【０００５】食器類を乾燥させるための所要時間の短縮と、所要時間の短縮による所要エネルギーの削減を可能にする。【０００６】食器洗浄機に上記の機構を備える際、洗浄水噴射用の噴射口やポンプ装置を、温風噴射装置として利用することで、当該機構の簡素化がはかれる。
【実施例】
【０００７】吸気口（図１の１）から取り入れた空気をヒーター（図１の２）で暖め、強力なファンもしくは電動ポンプ（図１の３）等によって、噴射口（図１の４）から勢い良く噴射する。【０００８】当該機構を、食器洗浄機の洗浄水噴射機構と兼用する場合は、吸気口（図１の１）が洗浄水の吸水口を兼ね、庫内下部が洗浄水用の貯水槽となる。そして、食器洗浄時と食器乾燥時の動作の切り替えは、洗浄水を貯水、排水することによっておこなう。
【図面の簡単な説明】
【図１】温風を噴射する方式による、食器乾燥装置の機構図（断面図）の例。
【図１】
2006110304.tif 000003
(57)【要約】【課題】従来のクッションは、長時間のデスクワーク、ドライブに使用すると、尻や背中がムレた。【解決手段】座面を碁盤目にし、そこから、イス、シートの間に空間を、作ることによりムレを解決出来る。【選択図】図１
2006110314.tif 000002
【特許請求の範囲】
【請求項１】
座面を碁盤目、さらには、Ｘ状に強度、通気性のある素材の布をはり、そこからイス、シートの間に空間をつくり、体やシートに合わせたフレームを持つクッション。
【発明の詳細な説明】
【技術分野】
【０００１】本発明は、長時間のデスクワーク、運転で尻、背中がムレないクッションに関する。
【背景技術】
【０００２】従来のクッションには、ラタンをあんだようなものがあった。
【発明の開示】
【発明が解決しょうとする課題】
【０００３】従来のクッションでは、ベタ座りとなり、必然的に背中、尻がムれる。
【０００４】本発明は、長時間の運転、デスクワークで尻、背中がムレないことを目的とする。
【課題を解決するための手段】
【０００５】座面を碁盤目にし、そこからイス、シートの間に空間をつくる。
【発明の効果】
【０００６】上述したように、尻、背中から、イス、シートの間に空間をつくる事によりムレないのである。
【発明を実施するための最良の形態】
【０００７】以下本発明の実施の形能を図により説明する。【０００８】図においては、碁盤目にはった強度と、通気性のある素材のものである、強度がさらに必用ならＸ状にはり加えても良い。人が座り、しずみこんでも、体とイスの間に、２ｃｍ程空間が出来れば良い。背中も同様である。【０００９】図において、２はフレームである。基本的に四角形だが、底部は、シートに合わせて、丸みがあっても良い、足がのる部分は、▲１▼のようにくぼんでも良い。また▲２▼の部分は▲３▼より高くても良い。
【符合の説明】
【００１０】ａ  空間
１  フレーム
２  フレーム
３  フレーム
【図１】
2006110314.tif 000003
【図２】
2006110314.tif 000004
【手続補正書】
【提出日】平成17年3月7日(2005.3.7)
【手続補正１】
【補正対象書類名】明細書
【補正対象項目名】全文
【補正方法】変更
【補正の内容】
【発明の詳細な説明】
【技術分野】
【０００１】本発明は、長時間のデスクワーク、ドライブで尻背中がムレないクッションに関する。
【背景技術】
【０００２】従来のクッションには、ラタンをあんだようなものがあった。
【発明の開示】
【発明が解決しようとする課題】
【０００３】従来のクッションでは、ベタ座りとなり、必然的に背中、尻がムレる。【０００４】本発明は、長時間の運転デスクワークで尻背中がムレないことを目的とする。
【課題を解決するための手段】
【０００５】座面を基盤目にし、そこからシート、イスの間に空間をつくる。
【発明の効果】
【０００６】尻、背中から、イス、シートの間に空間をつくる事によりムレない。
【図面の簡単な説明】
【０００７】
【図１】立体図
【０００８】図１は強度と通気性のある素材のものを基盤目状にはったもの、さらに強度が必用ならＸ状にはり加えても良い、人が座りしずみこんでも尻とシートの間に２ｃｍ位空間があれば良い。【図２】正面図
【０００９】フレームは基本的に四角だが底部はシートに合わせて丸みがあっても良い。足がのる部分は▲１▼のようにくぼんでも良い、また▲２▼の部分はずりおちぬよう▲３▼より高くても良い。
【符合の説明】
【００１０】▲ａ▼  空間
▲１▼  足がのる部分のフレーム
▲２▼  フレーム
▲３▼  フレーム
(57)【要約】      （修正有）【課題】肌汚衣布を連続的に押圧絞り洗浄することにより故障が少なく、経済的な洗浄機を提供する。【解決手段】ドラム傾斜角度調整内周ゴム被覆張焼付の回転外洗槽１の中で、重力、遠心力の相乗効果で１に接触押圧絞りフリー回転子２を１の出入口より入れ設けた外周ゴム被覆張焼付の内洗槽穴開外周は、１の内周との間に介在させた汚衣布の繊維内汚染を連続回転押圧絞りで速やかに外部へ抽出する。機械の故障も少なく経済的な洗浄機となる。【選択図】図１
2006110312.tif 000002
【特許請求の範囲】
【請求項１】
ドラム傾斜角度調整内周ゴム被覆張焼付の回転外洗槽内周１の中で、重力遠心力の相乗効果で１に接触押圧絞フリー回転子２を１の出入口より入れ設けた外周ゴム被覆張焼付の内洗槽穴開外周２は、１の内周との間に介在させた汚布衣の繊維内汚染を連続回転押圧絞りで容易に速かに外部え抽出する洗淨機。
【請求項２】
内洗槽枠網の軸２の中心軸３を外洗槽軸４の下穴５に押込むと、２は中心位置固定でフリー回転となり、５から３を引抜くと２の支腕元の位置固定基軸６と２の軸に巻いたバネ７のバネ力で内洗槽枠網外周は、遊介在の内洗槽枠網８と共に汚布を、及び８を除外し、介在汚布のみ外洗槽内周え連続回転押圧擦絞洗淨機で外洗槽内周、内洗槽枠網外周はゴム被覆張焼付である。
【発明の詳細な説明】
【発明の詳細な説明】
【技術分野】肌汚衣布の押圧絞洗淨に関する。【０００１】ドラム傾斜角度調整内周ゴム被覆張焼付の回転外洗槽内周１の中で、重力遠心力の相乗効果で１に接触押圧絞フリー回転子２を１の出入口より入れ設けた外周ゴム被覆張焼付の内洗槽穴開外周２は、１の内周との間に介在させた汚布衣の繊維内汚染を連続回転押圧絞りで容易に速かに外部え抽出する洗淨機、であつて、肌衣布繊維内汚染を絞り出し除去し機械の故障も少なく経済的である。【０００２】内洗槽枠網の軸２の中心軸３を外洗槽軸４の下穴５に押込むと、２は中心位置固定でフリー回転となり、５から３を引抜くと２の支腕元の位置固定基軸６と２の軸に巻いたバネ７のバネ力で内洗槽枠網外周は、遊介在の内洗槽枠網８と共に汚布を、及び８を除外し、介在汚布のみ外洗槽内周え連続回転押圧擦絞洗淨機で外洗槽内周、内洗槽枠網外周はゴム被覆張焼付である、ので接触時の衝撃を緩和して機械の故障少なく経済的である。
【図面の簡単な説明】
【図１】外洗槽汚衣布出入開口部と傾斜軸正面見取図。（回転子を含む）
【図１Ａ】右図の傾斜側面断面見取図。（重力遠心力等による）
【図２】押圧中の洗淨機側面断面見取図。（バネ力による）
【図１】
2006110312.tif 000003
【図１Ａ】
2006110312.tif 000004
【図２】
2006110312.tif 000005
(57)【要約】【課題】従来のトイレ後は、ウォシュレット、チリ紙を使用したが、これでは尻はあまりキレイにふけないのでウエットティッシュを、使いたいが、水にとけないのでトイレがつまるので使えない。【解決手段】水にとけて水洗トイレに流せるウエットティッシュをつくる。【選択図】なし。【特許請求の範囲】
【請求項１】
水にとけて、水洗トイレの流せるウエットティッシュ。
【発明の詳細な説明】
【０００１】本発明は、トイレの後尻をキレイにふく事に関する。
【背景技術】
【０００２】従来トイレ後の製品には、やわらかいトイレットペーパーとウォシュレットがある。
【発明の開示】
【発明が解決しょうとする課題】
【０００３】これでは、新聞紙でふくよりは良いという程度のものであった。
【０００４】本発明は、この問題を解決し、もっとキレイに尻をふく事を目的とする。
【課題を解決するための手段】
【０００５】目的を達成するためには、従来のウエットティッシュでは、水にとけずトイレにつまるので、チリ紙と同じとはいかなくても、数分で水にとけるウエットティッシュをつくるのである。
【発明の効果】
【０００６】上述したように水やチリ紙でふくよりもある程度強度のある布状のウエットティッシュが最もキレイにふけるのであります。
【発明を実施するための最良の形態】
【０００７】水にとけて、水洗トイレに流せるウエットティッシュをつくること。
トイレ後何回かチリ紙でふいて、最後にウエットティッシュでふけば良いのである。